(57)【要約】      （修正有）【課題】不要な角度における輝度ピークを低減でき、かつ、透過型表示部における明暗の斑を解消させ、正面輝度も高くする光制御シートを備える面光源装置および透過型表示装置を提供する。【解決手段】面光源装置は、面光源と、面光源の出光側に平行に配置されたシート面１３ｓを有する第１光制御シート１３と、第１光制御シート１３の出光側に設けられるとともに第１光制御シート１３に平行に配置されたシート面１４ｓを有する第２光制御シート１４を備える。第１光制御シート１３の各第１単位レンズ１３ａは、第１単位レンズ１３ａの出光側表面１３ｚ近傍に形成された略透明層１３ｃと、当該略透明層１３ｃより面光源側に形成された散乱層１３ｄとを有している。この場合、略透明層１３ｃの厚さは、第１単位レンズ１３ａの厚さの１／２０以上かつ１／５以下であり、散乱層１３ｄの厚さは、第１単位レンズ１３ａの厚さの１／５以上かつ２／３以下である。【選択図】図４
2010080227.tif 000002
【特許請求の範囲】
【請求項１】
平行に配置された複数の棒状光源を含む面光源と、
面光源の出光側に設けられ、出光側表面に平行に配置された多数の単位レンズを有する光制御シートと、を備え、
光制御シートの各単位レンズは、出光側に突出する断面形状を有し、各単位レンズは、出光側表面近傍に形成された略透明層と、当該略透明層より面光源側に形成された散乱層とを有し、
略透明層の厚さは、単位レンズの厚さの１／２０以上かつ１／５以下であり、
散乱層の厚さは、単位レンズの厚さの１／５以上かつ２／３以下であることを特徴とする面光源装置。
【請求項２】
各単位レンズは、球状のフィラーを有し、
フィラーは、透明部からなる外層部と、中空部からなる内層部とを有し、
フィラーは、単位レンズ内において、当該透明部からなる外層部が略透明層に含まれるよう配置され、当該中空部からなる内層部が散乱層に含まれるよう配置されていることを特徴とする請求項１に記載の面光源装置。
【請求項３】
各単位レンズは、球状のフィラーを有し、
フィラーは、透明部からなる外層部と、拡散剤からなる内層部とを有し、
フィラーは、単位レンズ内において、当該透明部からなる外層部が略透明層に含まれるよう配置され、当該拡散剤からなる内層部が散乱層に含まれるよう配置されていることを特徴とする請求項１に記載の面光源装置。
【請求項４】
光制御シートは、多層押出しにより形成されていることを特徴とする請求項１乃至請求項３のいずれかに記載の面光源装置。
【請求項５】
光制御シートの出光側に設けられ、出光側表面に平行に配置された多数の第２単位レンズを有する第２光制御シートを備えていることを特徴とする請求項１乃至請求項４のいずれかに記載の面光源装置。
【請求項６】
第２光制御シートの第２単位レンズは、光制御シートの単位レンズと直交する方向に延び、各第２単位レンズは、出光側に突出する断面形状を有し、光制御シートの単位レンズから屈折して外方へ出光する光のうち、第２光制御シートの第２単位レンズが延びる方向に平行な方向に関し、第２光制御シートの法線に対して６０度以上の角度を有する光は、その５０％以上が第２単位レンズで全反射して光制御シート側へ戻ることを特徴とする請求項５に記載の面光源装置。
【請求項７】
第２光制御シートの各第２単位レンズの断面形状は、幅：高さ＝１．５〜２．５：１となっていることを特徴とする請求項６に記載の面光源装置。
【請求項８】
第２光制御シートの各第２単位レンズの断面形状は、底角が４５度以上となる三角形形状、または谷部を通る接線が第２光制御シートのシート面となす角が４５度以上となる円弧形状を有することを特徴とする請求項６または請求項７のいずれかに記載の面光源装置。
【請求項９】
第２光制御シートの第２単位レンズは、光制御シートの単位レンズと平行する方向に延び、各第２単位レンズは、入光側に突出する断面形状を有し、光制御シートの単位レンズから屈折して外方へ出光する光のうち、第２光制御シートの第２単位レンズに平行な方向に対して６０度以上の角度を有する光は、その５０％以上が第２単位レンズで全反射して第１光制御シート側へ戻ることを特徴とする請求項５に記載の面光源装置。
【請求項１０】
第２光制御シートの各第２単位レンズの断面形状は、底角が４０度以下となる三角形形状、または谷部を通る接線が第２光制御シートのシート面となす角が４０度以下となる円弧形状を有することを特徴とする請求項９に記載の面光源装置。
【請求項１１】
請求項１乃至請求項１０のいずれかに記載の面光源装置と、
前記面光源装置によりその背面が照射される透過型表示部と、を備えることを特徴とする透過型表示装置。
【発明の詳細な説明】
【技術分野】
【０００１】
本発明は、単位レンズが複数配列された光制御シートを備える直下型の面光源装置および透過型表示装置に関する。
【背景技術】
【０００２】
透過型の液晶ディスプレイ等を背面から照明する面光源として、各種方式の面光源装置が提案され、実用化されている。面光源装置は、光の収束方式により、主としてエッジライト型と直下型とに分類される。例えば直下型では、並列の冷陰極管を用いて透過型表示部の背面へ光を導入するようになっており、面光源、例えば冷陰極管と、透過型表示部、例えばＬＣＤ（Ｌｉｑｕｉｄ  Ｃｒｙｓｔａｌ  Ｄｉｓｐｌａｙ）パネルとの間の距離を適切に設定し、その間に、光を拡散する拡散板や、光を収束させる光学シート等を複数組み合わせて使用することで、面光源装置および透過型表示装置が作製されていた。
【０００３】
そのような光学シートの例として、多数の三角プリズムを並べて配置することにより、光を収束するフィルムからなる光学シートが開示されている（特許文献１）。
【特許文献１】特開昭６３−３１８００３号公報
【０００４】
しかしながら、特許文献１に開示されている三角プリズムを有するフィルムからなる光学シートでは、光学シートの法線方向に出射される光による第１の輝度ピークの他に、光学シートの法線方向と６０〜８０度をなす方向に出射される光による第２の輝度ピークも存在する。このため、透過型表示部の一部に黒を表示させたい場合、すなわち透過型表示部の一部に光を入射させたくない場合であっても、透過型表示部の法線と６０〜８０度をなす方向から入射してくる光のために、透過型表示部の一部を完全に黒にすることができず、十分なコントラスト比を得ることができないという問題があった。
【発明の開示】
【発明が解決しようとする課題】
【０００５】
本発明は、このような点を考慮してなされたものであり、不要な角度における輝度ピークを低減でき、かつ、透過型表示部における明暗の斑を解消させ、正面輝度も高くすることのできる光制御シートを備える面光源装置および透過型表示装置を提供することを目的とする。
【課題を解決するための手段】
【０００６】
本発明は、平行に配置された複数の棒状光源を含む面光源と、面光源の出光側に設けられ、出光側表面に平行に配置された多数の単位レンズを有する光制御シートと、を備え、光制御シートの各単位レンズは、出光側に突出する断面形状を有し、各単位レンズは、出光側表面近傍に形成された略透明層と、当該略透明層より面光源側に形成された散乱層とを有し、略透明層の厚さは、単位レンズの厚さの１／２０以上かつ１／５以下であり、散乱層の厚さは、単位レンズの厚さの１／５以上かつ２／３以下であることを特徴とする面光源装置である。
【０００７】
本発明は、各単位レンズは、球状のフィラーを有し、フィラーは、透明部からなる外層部と、中空部からなる内層部とを有し、フィラーは、単位レンズ内において、当該透明部からなる外層部が略透明層に含まれるよう配置され、当該中空部からなる内層部が散乱層に含まれるよう配置されていることを特徴とする面光源装置である。
【０００８】
本発明は、各単位レンズは、球状のフィラーを有し、フィラーは、透明部からなる外層部と、拡散剤からなる内層部とを有し、フィラーは、単位レンズ内において、当該透明部からなる外層部が略透明層に含まれるよう配置され、当該拡散剤からなる内層部が散乱層に含まれるよう配置されていることを特徴とする面光源装置である。
【０００９】
本発明は、光制御シートは、多層押出しにより形成されていることを特徴とする面光源装置である。
【００１０】
本発明は、光制御シートの出光側に設けられ、出光側表面に平行に配置された多数の第２単位レンズを有する第２光制御シートを備えていることを特徴とする面光源装置である。
【００１１】
本発明は、第２光制御シートの第２単位レンズは、光制御シートの単位レンズと直交する方向に延び、各第２単位レンズは、出光側に突出する断面形状を有し、光制御シートの単位レンズから屈折して外方へ出光する光のうち、第２光制御シートの第２単位レンズが延びる方向に平行な方向に関し、第２光制御シートの法線に対して６０度以上の角度を有する光は、その５０％以上が第２単位レンズで全反射して光制御シート側へ戻ることを特徴とする面光源装置である。
【００１２】
本発明は、第２光制御シートの各第２単位レンズの断面形状は、幅：高さ＝１．５〜２．５：１となっていることを特徴とする面光源装置である。
【００１３】
本発明は、第２光制御シートの各第２単位レンズの断面形状は、底角が４５度以上となる三角形形状、または谷部を通る接線が第２光制御シートのシート面となす角が４５度以上となる円弧形状を有することを特徴とする面光源装置である。
【００１４】
本発明は、第２光制御シートの第２単位レンズは、光制御シートの単位レンズと平行する方向に延び、各第２単位レンズは、入光側に突出する断面形状を有し、光制御シートの単位レンズから屈折して外方へ出光する光のうち、第２光制御シートの第２単位レンズに平行な方向に対して６０度以上の角度を有する光は、その５０％以上が第２単位レンズで全反射して第１光制御シート側へ戻ることを特徴とする面光源装置である。
【００１５】
本発明は、第２光制御シートの各第２単位レンズの断面形状は、底角が４０度以下となる三角形形状、または谷部を通る接線が第２光制御シートのシート面となす角が４０度以下となる円弧形状を有することを特徴とする面光源装置である。
【００１６】
本発明は、上記記載の面光源装置と、当該面光源装置によりその背面が照射される透過型表示部と、を備えることを特徴とする透過型表示装置である。
【発明の効果】
【００１７】
本発明によれば、面光源装置は、面光源の出光側に設けられ、出光側表面に平行に配置された多数の単位レンズを有する光制御シートを備え、光制御シートの各単位レンズは、出光側表面近傍に形成された略透明層と、この略透明層より面光源側に形成された散乱層とを有し、略透明層の厚さは、単位レンズの厚さの１／２０以上かつ１／５以下であり、散乱層の厚さは、単位レンズの厚さの１／５以上かつ２／３以下である。このため、光制御シートに入射される光のうち、光制御シートの単位レンズと直交する方向に関し、光制御シートに対して所定の角度よりも小さい角度を有する光は、光制御シートの単位レンズから屈折して外方へ出光する一方、光制御シートに対して所定の角度よりも大きい角度を有する光は、略透明層において単位レンズの端部により複数回全反射されることにより、若しくは、散乱層において後方散乱されることにより、面光源側へ戻される。これによって、光制御シートに入射される光のうち、単位レンズの端部において全反射された後に、光制御シートの単位レンズから屈折して外方へ出光する光を削減することができる。このことにより、面光源装置の正面輝度を向上させるとともに、不要な角度における輝度のピークを低減することができる。
【発明を実施するための最良の形態】
【００１８】
第１の実施の形態
以下、図面を参照して、本発明の第１の実施の形態について説明する。ここで、図１乃至図９は、本発明の第１の実施の形態における面光源装置および透過型表示装置を示す図である。このうち図１は、本発明の第１の実施の形態における透過型表示装置の詳細を示す図であり、図２は、本発明の第１の実施の形態における透過型表示装置の概略を示す図である。図３は、本発明の第１の実施の形態における光制御シートを示す図である。図４（ａ）は、本発明の第１の実施の形態における第１光制御シートの断面を示す図であり、図４（ｂ）は、本発明の第１の実施の形態における第２光制御シートの断面を示す図である。図５は、本発明の第１の実施の形態において、第１光制御シートの詳細を示す断面図であり、図６および図７（ａ）（ｂ）（ｃ）は、本発明の第１の実施の形態において、光制御シートにより反射または屈折される光を示す図である。図８は、本発明の第１の実施の形態における第２光制御シートの光学特性を示す図である。図９（ａ）は、本発明の第１の実施の形態の変形例を示す図であり、図９（ｂ）は、本発明の第１の実施の形態の他の変形例を示す図である。
【００１９】
はじめに、図１および図２により、本発明の第１の実施の形態における面光源装置および透過型表示装置について説明する。なお図１および図２、並びに後に示す各図は、本発明における面光源装置および透過型表示装置を模式的に示した図であり、各構成要素の大きさ、個数、形状等は、理解を容易にするために適宜誇張されている。
【００２０】
ここで図１は、透過型表示装置２０を示す斜視図であり、図２は、後述する発光管１５ａ（棒状光源）の長手方向に対して垂直な平面における透過型表示装置２０の断面を示す図である。図１および図２に示すように、透過型表示装置２０は、透過型表示部、例えばＬＣＤ（Ｌｉｑｕｉｄ  Ｃｒｙｓｔａｌ  Ｄｉｓｐｌａｙ）パネル１７と、ＬＣＤパネル１７に平行に配置され、ＬＣＤパネル１７の背面に光を照射させる面光源装置１０とを備えている。
【００２１】
このうちＬＣＤパネル１７は、透過型の液晶表示素子により形成されており、本実施の形態においては、対角３２インチサイズ（７４０ｍｍ×４２０ｍｍ）、１２８０×７６８ドットの表示を行うことができる。ＬＣＤパネル１７の水平方向は、後述する発光管１５ａの長手方向と平行な方向に一致し、ＬＣＤパネル１７の垂直方向は、後述する発光管１５ａの長手方向と垂直な方向に一致する。
【００２２】
次に、図１および図２により面光源装置１０について詳述する。図１および図２に示すように、面光源装置１０は、互いに平行に配置された複数の発光管１５ａ（棒状光源）を含む面光源１５と、面光源１５の出光側に設けられるとともに面光源１５に平行に配置されたシート面１３ｓを有する第１光制御シート１３と、第１光制御シート１３の出光側に設けられるとともに第１光制御シート１３に平行に配置されたシート面１４ｓを有する第２光制御シート１４と、面光源１５の出光側とは反対の側に設けられ、光を反射させる反射板１６と、第２光制御シート１４とＬＣＤパネル１７との間に設けられ、ＬＣＤパネル１７の視野角を狭めることなく、ＬＣＤパネル１７の背面に照射される光の輝度を高める偏光分離シート１１と、を備えている。このうち、第１光制御シート１３と、第２光制御シート１４とにより、光制御シート１２が構成されている。
【００２３】
また、面光源１５の発光管１５ａは、面光源装置１０の光源となる発光体であり、例えば冷陰極管からなっている。図１において、面光源１５は平行に配置された６本の発光管１５ａからなる例を示したが、これに限られることはなく、例えば対角３２インチサイズ（７４０ｍｍ×４２０ｍｍ）、１２８０×７６８ドットのＬＣＤパネル１７を備える透過型表示装置２０においては、面光源１５は平行に配置された８本の発光管１５ａを有していてもよく、この場合、発光管１５ａは略４５ｍｍ間隔で配置されている。
【００２４】
また反射板１６は、上述のように面光源１５の出光側とは反対の側において、面光源１５の発光管１５ａ全体を覆うように設けられており、面光源１５の発光管１５ａから出射される光のうち、面光源１５の出光側とは反対の側に出射された光を拡散反射させて、面光源１５の出光側に向かわせることができる。
【００２５】
さらに偏光分離シート１１は、光制御シート１２から出射される光をその偏光方向により透過または反射させるものである。このため、偏光分離シート１１により、不要な方向に偏光している光を反射させ、光制御シート１２および反射板１６の側に戻して再利用することができ、これによって、ＬＣＤパネル１７の背面に照射される光の輝度を高めることができる。本実施の形態においては、偏光分離シート１１として住友スリーエム株式会社製のＤＢＥＦが使用されている。
【００２６】
また図３および図４に示すように、光制御シート１２のうち第１光制御シート１３は、
第１基材１３ｂと、第１基材１３ｂ上に形成された多数の第１単位レンズ１３ａとを有し、第２光制御シート１４は、第２基材１４ｂと、第２基材１４ｂ上に形成された多数の第２単位レンズ１４ａとを有している。
【００２７】
ところで、図１乃至図３に示すように、第１光制御シート１３の各第１単位レンズ１３ａは、面光源１５の発光管１５ａと平行に延び、各第１単位レンズ１３ａは、第１光制御シート１３の出光側に突出する円弧状の断面形状を有している。なお本実施の形態において、図３に示すように、第１光制御シート１３の各第１単位レンズ１３ａが延びる方向はｙ軸方向となっており、第２光制御シート１４の各第２単位レンズ１４ａが延びる方向はｘ軸方向となっており、第１光制御シート１３のシート面１３ｓおよび第２制御シート１４のシート面１４ｓと垂直の方向はｚ軸方向となっている。
【００２８】
次に、図４（ａ）により、第１光制御シート１３について詳述する。ここで図４（ａ）は、第１光制御シート１３の各第１単位レンズ１３ａが延びる方向に垂直な平面（ｘｚ平面）における第１光制御シート１３の断面を示す図である。図４（ａ）に示すように、第１光制御シート１３の各第１単位レンズ１３ａは、第１単位レンズ１３ａの出光側表面１３ｚ近傍に形成された略透明層１３ｃと、当該略透明層１３ｃより面光源１５側に形成された散乱層１３ｄとを有している。このうち、図４（ａ）に示すように、略透明層１３ｃの厚さｔ１は、第１単位レンズ１３ａの厚さｔ３の１／２０以上かつ１／５以下、例えば１／６であり、散乱層１３ｄの厚さｔ２は、第１単位レンズ１３ａの厚さｔ３の１／５以上かつ２／３以下、例えば１／３である。
【００２９】
このうち散乱層１３ｄは、分散された複数の粒子１８を含んでおり、また当該散乱層１３ｄは、等方的な散乱特性を示すのではなく、略透明層１３ｃ側から散乱層１３ｄへ入射された光を面光源１５側へ強く散乱させる特性を示す。
【００３０】
また、図４（ａ）に示すように、各第１単位レンズ１３ａの断面形状の谷部を通る接線Ｘ１が第１光制御シート１３のシート面１３ｓとなす角θ１は、６０〜７５度、例えば６５度となっており、また、各第１単位レンズ１３ａの断面形状は、幅ａ１：高さｂ１＝２：１．１〜１．５、例えば２：１．２となっている。
このため、θ１がより小さく、かつｂ１がより小さい場合、例えばθ１が５０度であり、幅ａ１：高さｂ１＝１：１である場合と比較して、第１光制御シート１３の第１単位レンズ１３ａから屈折して外方へ出光し第２光制御シート１４に入射される光（例えば後述するＹ１）の輝度が、第１光制御シート１３からの光の出射角度（第１光制御シート１３の法線と、第１光制御シート１３から出射される光の方向とがなす角度）によらず略均一となる。このことにより、光の輝度の斑が小さい均一な光を第１光制御シート１３から出射させることができる。
【００３１】
次に、図４（ｂ）により第２光制御シート１４について説明する。第２光制御シート１４の第２単位レンズ１４ａは、第１光制御シート１３の第１単位レンズ１３ａが延びる方向と直交する方向に延び（図３参照）、各第２単位レンズ１４ａは、第２光制御シート１４の出光側に突出する円弧状の断面形状を有している。
【００３２】
ここで図４（ｂ）は、第２光制御シート１４の各第２単位レンズ１４ａが延びる方向に垂直な平面（ｙｚ平面）における第２光制御シート１４の断面を示す図である。図４（ｂ）に示すように、各第２単位レンズ１４ａの断面形状の谷部を通る接線Ｘ２が第２光制御シート１４のシート面１４ｓとなす角θ２は、４５度以上、例えば５０度となっており、また、各第２単位レンズ１４ａの断面形状は、幅ａ２：高さｂ２＝１．５〜２．５：１、例えば２：１となっている。これによって、後述するように、第１光制御シート１３の第１単位レンズ１３ａから屈折して外方へ出光し第２光制御シート１４に入射される光のうち、第２光制御シート１４の第２単位レンズ１４ａが延びる方向に平行な方向に関し、第２光制御シート１４の法線に対して６０度以上の角度を有する光は、その５０％以上が第２単位レンズ１４ａで全反射して第１光制御シート１３の側へ戻される。
【００３３】
なお、本実施の形態においては、第１光制御シート１３のうち第１単位レンズ１３ａの散乱層１３ｄに含まれる粒子１８以外の部分、および第２光制御シート１４の材料として、熱可塑性樹脂が用いられており、具体的には、屈折率１．４９の透明なポリメタクリル酸メチル（ＰＭＭＡ：Ｐｏｌｙｍｅｔｈｙｌｍｅｔｈａｃｒｙｌａｔｅ）樹脂が用いられている。ＰＭＭＡ樹脂を押し出しにより成形することで、第１光制御シート１３および第２光制御シート１４が作製されている。また第１光制御シート１３においては、第１単位レンズ１３ａ中に散乱層１３ｄを形成するため、前記ＰＭＭＡ樹脂と、ＰＭＭＡ樹脂とは屈折率の異なる複数の粒子１８の材料とを、例えば溶融状態で積層させながら押し出しを行ってもよい。
【００３４】
次に、図１乃至図８を参照して、このような構成からなる本実施の形態の作用について説明する。
【００３５】
図２に示すように、面光源１５の発光管１５ａから出射された光は、直接に光制御シート１２の第１光制御シート１３に入射され、若しくは反射板１６において反射された後に光制御シート１２の第１光制御シート１３に入射される。
【００３６】
図５は、光制御シート１２の第１光制御シート１３により反射または透過された光の経路を示す図である。第１光制御シート１３に入射された光は、主に、第１光制御シート１３の第１単位レンズ１３ａから屈折して外方へ出光し第２光制御シート１４に入射される光、例えば図５に示されているＹ１と、第１単位レンズ１３ａの端部において１回全反射された後に、第１単位レンズ１３ａの散乱層１３ｄにおいて散乱され、面光源１５側へ戻される光、例えば図５に示されているＹ２と、第１単位レンズ１３ａの略透明層１３ｂを通る間に第１単位レンズ１３ａの端部において複数回全反射され、面光源１５側へ戻される光、例えば図５に示されているＹ３とに分類される。なお、図５に示されているその他の光（Ｙ１’、Ｙ２’）については後述する。また図５において、光が第１光制御シート１３のシート面１３ｓに入射する際に、光が第１光制御シート１３のシート面１３ｓに対してなす角度をαで示しており、このうち、Ｙ１に対応する角度がα１、Ｙ２に対応する角度がα２、Ｙ３に対応する角度がα３である。
【００３７】
光がＹ１、Ｙ２、Ｙ３のどれに分類されるかは、図５から明らかなように角度αに依存しており、またα１＜α２＜α３の関係が成立している。角度αとＹ１、Ｙ２、Ｙ３の関係、すなわち角度α１、α２、α３がそれぞれとりうる値の範囲は、第１光制御シート１３の屈折率に依存するが、本実施の形態ににおいては、例えばα１が２５〜５０度、α２が５０〜８０度、α３が８０〜１２０度である。
【００３８】
上述のように、入射光が第１光制御シート１３のシート面１３ｓに対してなす角度αが２５〜５０度の場合、大部分の光は、比較的小さな出射角度（第１光制御シート１３の法線と、第１光制御シート１３から出射される光の方向とがなす角度）で、第１光制御シート１３の第１単位レンズ１３ａから屈折して外方へ出光する（Ｙ１）。しかしながら一部の光は、第１光制御シート１３の第１単位レンズ１３ａの端部に到達する前に散乱層１３ｄにより散乱され、比較大きな出射角度で第１光制御シート１３の第１単位レンズ１３ａから屈折して外方へ出光する（Ｙ１’、図５参照）。
なお、散乱層１３ｄの厚さが第１単位レンズ１３ａの厚さの２／３より大きい場合は、第１光制御シート１３の第１単位レンズ１３ａの端部に到達する前に散乱層１３ｄにより散乱され、比較大きな出射角度で第１光制御シート１３の第１単位レンズ１３ａから屈折して外方へ出光する光（Ｙ１’）が増加し、面光源装置１０の正面輝度が低下する。このため、散乱層１３ｄの厚さを第１単位レンズ１３ａの厚さの２／３以下としている。
【００３９】
また、入射光が第１光制御シート１３のシート面１３ｓに対してなす角度αが５０〜８０度の場合、大部分の光は、第１単位レンズ１３ａの端部において１回全反射された後に、第１単位レンズ１３ａの散乱層１３ｄにおいて散乱され、面光源１５側へ戻される（Ｙ２）。しかしながら一部の光は、第１単位レンズ１３ａの端部において１回全反射された後に散乱層１３ｄにより散乱されて、比較大きな出射角度で第１光制御シート１３の第１単位レンズ１３ａから屈折して外方へ出光する（Ｙ２’、図５および図６参照）。
なお、略透明層１３ｃの厚さが第１単位レンズ１３ａの厚さの１／５より大きい場合は、光が第１単位レンズ１３ａの端部において１回全反射された後に、光が、散乱層１３ｄにおいて散乱されることなく、比較大きな出射角度で第１光制御シート１３の第１単位レンズ１３ａから屈折して外方へ出光する可能性がある。このため、略透明層１３ｃの厚さを第１単位レンズ１３ａの厚さの１／５以下としている。
同様に、散乱層１３ｄの厚さが第１単位レンズ１３ａの厚さの１／５より小さい場合も、光が第１単位レンズ１３ａの端部において１回全反射された後に、光が、散乱層１３ｄにおいて散乱されることなく、比較大きな出射角度で第１光制御シート１３の第１単位レンズ１３ａから屈折して外方へ出光する可能性がある。このため、散乱層１３ｄの厚さを第１単位レンズ１３ａの厚さの１／５以上としている。
【００４０】
また、入射光が第１光制御シート１３のシート面１３ｓに対してなす角度αが８０〜１２０度の場合、光は、第１単位レンズ１３ａの略透明層１３ｃを通る間に第１単位レンズ１３ａの端部において複数回全反射され、面光源１５側へ戻される（Ｙ３）。
なお、略透明層１３ｃの厚さが第１単位レンズ１３ａの厚さの１／２０より小さい場合は、光が第１単位レンズ１３ａの端部において複数回全反射される間に、光が略透明層１３ｃから散乱層１３ｄへと入り、その後、光が、散乱層１３ｄにより散乱されて、比較大きな出射角度で第１光制御シート１３の第１単位レンズ１３ａから屈折して外方へ出光する可能性がある。このため、略透明層１３ｃの厚さを第１単位レンズ１３ａの厚さの１／２０以上としている。
【００４１】
上述のように、本実施の形態において、入射光が第１光制御シート１３のシート面１３ｓに対してなす角度αが２５〜５０度の場合は、高い確率で、第１光制御シート１３からの光の出射角度が小さい光が、第１光制御シート１３から出射される（Ｙ１）。また、入射光が第１光制御シート１３のシート面１３ｓに対してなす角度αが５０〜１２０度の場合は、高い確率で、第１光制御シート１３から光を出射させることなく、光を面光源１５側へ戻した後に再利用することができる（Ｙ２、Ｙ３）。このことにより、高い確率で、光の輝度の斑が小さい均一な光が第１光制御シート１３から出射される。
【００４２】
しかしながら、一部の光は、比較大きな出射角度で第１光制御シート１３の第１単位レンズ１３ａから屈折して外方へ出射される（Ｙ１’、Ｙ２’）。このような出射角度の大きい光は、ＬＣＤパネル１７の視野角の範囲外にあるため、ＬＣＤパネル１７に映像を表示させる上で不要な光である。従ってこのような出射角度の大きい光は、ＬＣＤパネル１７に入射させることなく、第２光制御シート１４において第１光制御シート１３の側に戻した後に再利用されることが好ましい。以下、本実施の形態における第２光制御シート１４の作用について説明する。
【００４３】
図７（ａ）（ｂ）（ｃ）は、第２光制御シート１４に入射された光が、始めに第２単位レンズ１４ａの端部において１回全反射し、次に第２単位レンズ１４ａの他の端部において再び全反射した後、第２光制御シート１４の第２基材１４ｂから屈折して第１光制御シート１３の側へ戻る様子を示す図である。ここで図７（ａ）は、第２光制御シート１４において光が反射または屈折される様子をｘｚ平面に投影して示す図であり、同様に図７（ｂ）および図７（ｃ）は、各々、第２光制御シート１４において光が反射または屈折される様子をｙｘ平面およびｙｚ平面に投影して示している。なお図７（ａ）乃至図７（ｃ）において、点Ａは、光が第２光制御シート１４に入射される位置であり、点Ｂは、第２単位レンズ１４ａの端部において光が１回目に全反射する位置を示す。また点Ｃは、第２単位レンズ１４ａの端部において光が２回目に全反射する位置を示し、点Ｄは、第２光制御シート１４の第２基材１４ｂから光が屈折して第１光制御シート１３の側へ戻される位置を示す。以下、第２光制御シート１４に入射された光が、図６に示すように第２光制御シート１４により全反射されて第１光制御シート１３の側へ戻される条件について説明する。
【００４４】
上述のように、各第２単位レンズ１４ａの断面形状の谷部を通る接線Ｘ２が第２光制御シート１４のシート面１４ｓとなす角θ２は５０度となっており、また、各第２単位レンズ１４ａの断面形状は、幅（ａ２）：高さ（ｂ２）＝２：１となっている。このため、本実施の形態において、第２光制御シート１４は図８に示す光学特性を有している。
【００４５】
ここで、図８について説明する。図８における水平方向の軸φは、第２光制御シートの第２単位レンズが延びる方向に垂直な方向に関し、第２光制御シート１４に入射される光が第２光制御シート１４のシート面１４ｓとなす角度を示す軸であり、この角度は、図７（ｃ）においてφで示す角度に相当する。また図８における鉛直方向の軸ηは、第２光制御シートの第２単位レンズが延びる方向に平行な方向に関し、第２光制御シート１４に入射される光が第２光制御シート１４の法線となす角度を示す軸であり、この角度は、図７（ａ）においてηで示す角度に相当する。
【００４６】
図８において斜線で示されている領域２１ａは、第２光制御シート１４に入射される光に関して、角度φと角度ηとの関係がこの斜線で示されている領域２１ａの範囲内である場合に、第２光制御シート１４に入射される光が第２光制御シート１４により全反射されて、第１光制御シート１３の側に戻されることを意味している。同様に、図８においてドットで示されている領域２１ｂは、第２光制御シート１４に入射される光に関して、角度φと角度ηとの関係がこの斜線で示されている領域の範囲内である場合に、第２光制御シート１４に入射される光が第２光制御シート１４を透過して偏光分離シート１１の側へ出射されることを意味している。
【００４７】
上述のように、各第２単位レンズ１４ａの断面形状の谷部を通る接線Ｘ２が第２光制御シートのシート面となす角θ２は５０度となっており、また、各第２単位レンズ１４ａの断面形状は、幅（ａ２）：高さ（ｂ２）＝２：１となっている。これによって、第１光制御シート１３の第１単位レンズ１３ａから屈折して外方へ出光し第２光制御シート１４に入射される光のうち、角度φと角度ηとの関係が斜線で示されている領域の範囲内である場合、例えば図７に示されている光の場合は、第２光制御シート１４の第２単位レンズ１４ａにより全反射されて、第１光制御シート１３の側に戻ることになる。具体的には、図８に示すように、角度ηが６０度以上である光は、その５０％以上が第２光制御シート１４の第２単位レンズ１４ａにより全反射されて第１光制御シート１３の側へ戻される。これによって、第１単位レンズ１３ａから出射される光のうち、出射角度が大きくＬＣＤパネル１７の視野角の範囲外にある光を第２光制御シート１４で全反射させた後、反射板１６により再び反射させて再利用することができる。
【００４８】
このように本実施の形態によれば、第１光制御シート１３の各第１単位レンズ１３ａは、出光側表面１３ｚ近傍に形成された略透明層１３ｃと、この略透明層１３ｃより面光源１５側に形成された散乱層１３ｄとを有し、略透明層１３ｃの厚さは、第１単位レンズ１３ａの厚さの１／２０以上かつ１／５以下であり、散乱層１３ｄの厚さは、第１単位レンズ１３ａの厚さの１／５以上かつ２／３以下である。このため、第１光制御シート１３に入射される光のうち、第１光制御シート１３の第１単位レンズ１３ａと直交する方向に関し、第１光制御シート１３に対して所定の角度よりも小さい角度を有する光、例えば２５〜５０度の角度の光は、第１光制御シート１３の第１単位レンズ１３ａから屈折して外方へ出光する。一方、第１光制御シート１３に対して所定の角度よりも大きい角度を有する光、例えば５０〜１２０度の角度の光は、第１単位レンズ１３ａの略透明層１３ｃにおいて第１単位レンズ１３ａの端部により複数回全反射されることにより、若しくは、第１単位レンズ１３ａの散乱層１３ｄにおいて後方散乱されることにより、面光源１５側へ戻される。これによって、第１光制御シート１３に入射される光のうち、第１単位レンズ１３ａの端部において全反射された後に、第１光制御シート１３の第１単位レンズ１３ａから屈折して外方へ出光する光を削減することができる。このことにより、面光源装置１０の正面輝度を向上させるとともに、不要な角度における輝度のピークを低減することができる。
【００４９】
また本実施の形態によれば、光制御シート１２の第１光制御シート１３は、面光源１５の出光側に設けられ、面光源１５の出光側表面１５aに平行に配置された多数の第１単位レンズ１３ａを有し、第１光制御シート１３の各第１単位レンズ１３ａは、面光源１５の発光管１５ａと平行に延び、各第１単位レンズ１３ａは、第１光制御シート１３の出光側に突出する円弧状の断面形状を有し、各第１単位レンズ１３ａの断面形状の谷部を通る接線が第１光制御シート１３のシート面となす角は、６５度、例えばとなっており、各第１単位レンズ１３ａの断面形状は、幅：高さ＝２：１．２となっている。このため、第１光制御シート１３の第１単位レンズ１３ａから屈折して外方へ出光し第２光制御シート１４に入射される光（例えば図５に示すＹ１）の輝度が、第１光制御シート１３からの光の出射角度によらず略均一となる。これによって、光の輝度の斑が小さい均一な光を第１光制御シート１３から出射させることができる。
【００５０】
また本実施の形態によれば、光制御シート１２の第２光制御シート１４は、第１光制御シート１３の出光側に設けられ、出光側表面に平行に配置された多数の第２単位レンズ１４aを有し、第２光制御シート１４の各第２単位レンズ１４ａは、第１光制御シート１３の第１単位レンズ１３ａが延びる方向と直交する方向に延び、各第２単位レンズ１４ａは、第２光制御シート１４の出光側に突出する円弧状の断面形状を有し、各第２単位レンズ１４ａの断面形状の谷部を通る接線が第２光制御シート１４のシート面となす角は、４５度以上、例えば５０度となっており、各第２単位レンズ１４ａの断面形状は、幅：高さ＝２：１となっている。このため、第１光制御シート１３の第１単位レンズ１３ａから屈折して外方へ出光し第２光制御シート１４に入射される光のうち、第２光制御シート１４の第２単位レンズ１４ａが延びる方向に平行な方向に関し、第２光制御シート１４の法線に対して６０度以上の角度を有する光は、その５０％以上が第２単位レンズ１４ａで全反射して第１光制御シート１３の側へ戻される。このことにより、第１単位レンズ１３ａから出射される光のうち、出射角度が大きくＬＣＤパネル１７の視野角の範囲外にある光を第２光制御シート１４で反射させた後、反射板１６により再び反射させて再利用することができる。
【００５１】
なお、本実施の形態において、面光源装置１０は、光制御シート１２の出光側とＬＣＤパネル１７との間に偏光分離シート１１を備えている例を示した。しかしながら、これに限られることはなく、光制御シート１２の出光側とＬＣＤパネル１７との間に、偏光分離シート１１の代わりに、出射側に微細凸形状が形成された、光拡散作用を有する拡散シート（図示せず）を備えていてもよい。この場合、拡散シートとしては、透明基材フィルムの表面に拡散材が被覆されたもの、または拡散材が基材に練り込まれたものなどを使用することができる。
【００５２】
また、本実施の形態において、第２光制御シート１４の各第２単位レンズ１４ａの断面形状は、谷部を通る接線が第２光制御シートのシート面となす角が４５度以上となる円弧形状を有する例を示した。しかしながら、これに限られることはなく、第２光制御シート１４の各第２単位レンズ１４ａの断面形状は、底角が４５度以上となる三角形形状を有していてもよい。
【００５３】
さらに、本実施の形態において、第１光制御シート１３の各第１単位レンズ１３ａの断面形状がそれぞれ同一である例を示した。しかしながら、これに限られることはなく、第１光制御シート１３の各第１単位レンズ１３ａがそれぞれ異なる断面形状を有していてもよい。同様に、本実施の形態において、第２光制御シート１４の各第２単位レンズ１４ａの断面形状がそれぞれ同一である例を示した。しかしながら、これに限られることはなく、第２光制御シート１４の各第２単位レンズ１４ａがそれぞれ異なる断面形状を有していてもよい。
【００５４】
また、本実施の形態において、各第１単位レンズ１３ａの散乱層１３ｄは、分散された複数の粒子１８を含んでいる例を示した。しかしながら、これに限られることはなく、図９（ａ）に示すように、各第１単位レンズ１３ａは、球状のフィラー１９を有し、フィラー１９は、透明部１９ａからなる外層部と、中空部１９ｂからなる内層部とを有し、当該フィラー１９は、第１単位レンズ１３ａ内において、当該透明部１９ａからなる外層部が略透明層１３ｃに含まれるよう配置され、当該中空部１９ｂからなる内層部が散乱層１３ｄに含まれるよう配置されていてもよい。この場合、第１光制御シート１３に入射され散乱層１３ｄを通る光は、フィラー１９の中空部１９ｂからなる内層部により散乱される。一方、透明部１９ａの材料として、屈折率が約１．４９の例えば透明なポリメタクリル酸メチル樹脂が用いられており、このため、第１光制御シート１３に入射され略透明層１３ｃを通る光が、フィラー１９の透明部１９ａに入射される際、およびフィラー１９の透明部１９ａから出射される際、光が屈折されることはほとんどない。
【００５５】
また、前段落において、各第１単位レンズ１３ａは、球状のフィラー１９を有し、フィラー１９は、透明部１９ａからなる外層部と、中空部１９ｂからなる内層部とを有する例を示した。しかしながら、これに限られることはなく、図９（ｂ）に示すように、各第１単位レンズ１３ａは、球状のフィラー１９を有し、フィラー１９は、透明部１９ａからなる外層部と、拡散剤１９ｃからなる内層部とを有し、当該フィラー１９は、第１単位レンズ１３ａ内において、当該透明部１９ａからなる外層部が略透明層１３ｃに含まれるよう配置され、当該中空部１９ｃからなる内層部が散乱層１３ｄに含まれるよう配置されていてもよい。
【００５６】
第２の実施の形態
次に、図１０乃至図１２を参照して、本発明の第２の実施の形態について説明する。ここで、図１０は、本発明の第２の実施の形態における光制御シートを示す図である。図１１（ａ）は、本発明の第２の実施の形態における第１光制御シートの断面を示す図であり、図１１（ｂ）は、本発明の第２の実施の形態における第２光制御シートの断面を示す図である。図１２は、本発明の第２の実施の形態において、光制御シートにより反射または屈折される光を示す図である。
【００５７】
図１０乃至図１２に示す第２の実施の形態は、第２光制御シート１４の配置および第２光制御シート１４の各第２単位レンズ１４ａの断面形状が異なるのみであり、他の構成は、図１乃至図９に示す第１の実施の形態と略同一である。図１０乃至図１２に示す第２の実施の形態において、図１乃至図９に示す第１の実施の形態と同一部分には同一符号を付して詳細な説明は省略する。
【００５８】
面光源装置１０は、互いに平行に配置された複数の発光管１５ａ（棒状光源）を含む面光源１５と、面光源１５の出光側に設けられるとともに面光源１５に平行に配置されたシート面１３ｓを有する第１光制御シート１３と、第１光制御シート１３の出光側に設けられるとともに第１光制御シート１３に平行に配置されたシート面１４ｓを有する第２光制御シート１４と、面光源１５の出光側とは反対の側に設けられ、光を反射させる反射板１６と、第２光制御シート１４とＬＣＤパネル１７との間に設けられ、ＬＣＤパネル１７の視野角を狭めることなく、ＬＣＤパネル１７の背面に照射される光の輝度を高める偏光分離シート１１と、を備えている。このうち第２光制御シート１４以外の構成は第１の実施の形態の場合と同一であるので、第２光制御シート１４以外の構成についての詳細な説明は省略する。
【００５９】
次に、図１０および図１１により第２光制御シート１４について説明する。第２光制御シート１４の第２単位レンズ１４ａは、第１光制御シート１３の第１単位レンズ１３ａが延びる方向と平行する方向に延び（図１０参照）、各第２単位レンズ１４ａは、第２光制御シート１４の入光側に突出する円弧状の断面形状を有している。なお本実施の形態において、図１０に示すように、第１光制御シート１３の各第１単位レンズ１３ａおよび第２光制御シート１４の各第２単位レンズ１４ａが延びる方向はｙ軸方向となっており、第１光制御シート１３のシート面１３ｓおよび第２制御シート１４のシート面１４ｓと垂直の方向はｚ軸方向となっている。
【００６０】
ここで図１１（ｂ）は、第２光制御シート１４の各第２単位レンズ１４ａが延びる方向に垂直な平面（ｘｚ平面）における第２光制御シート１４の断面を示す図である。図１１（ｂ）に示すように、各第２単位レンズ１４ａの断面形状の谷部を通る接線Ｘ３が第２光制御シート１４のシート面１４ｓとなす角θ３は、４０度以下、例えば３５度となっており、また、各第２単位レンズ１４ａの断面形状は、幅ａ３：高さｂ３＝１．５〜２．５：１、例えば２：１となっている。これによって、後述するように、第１光制御シート１３の第１単位レンズ１３ａから屈折して外方へ出光し第２光制御シート１４に入射される光のうち、第２光制御シート１４の第２単位レンズ１４ａが延びる方向に平行な方向に関し、第２光制御シート１４の法線に対して６０度以上の角度を有する光は、その５０％以上が第２単位レンズ１４ａで全反射して第１光制御シート１３の側へ戻される。
【００６１】
次に、図１０乃至図１２を参照して、このような構成からなる本実施の形態の作用について説明する。
【００６２】
第１の実施の形態の場合と同様に、第１光制御シート１３の各第１単位レンズ１３ａは、第１単位レンズ１３ａの出光側表面１３ｚ近傍に形成された略透明層１３ｃと、当該略透明層１３ｃより面光源１５側に形成された散乱層１３ｄとを有している。このため、高い確率で、光の輝度の斑が小さい均一な光が第１光制御シート１３から出射される。しかしながら、第１の実施の形態の場合と同様に、一部の光は、比較大きな出射角度で第１光制御シート１３の第１単位レンズ１３ａから屈折して外方へ出射される。従って、本実施の形態においても、このような出射角度の大きい光を、ＬＣＤパネル１７に入射させることなく、第２光制御シート１４において第１光制御シート１３の側に戻すことが好ましい。以下、本実施の形態における第２光制御シート１４の作用について説明する。
【００６３】
図１２は、光制御シート１２の第１光制御シート１３および第２光制御シート１４により反射または屈折された光の経路をｘｚ平面に投影して示す図である。図１０においては、第１光制御シート１３から大きな出射角度で出射された光が、第２光制御シート１４の第２単位レンズ１４ａの端部で屈折された後、第２光制御シート１４のシート面１４ｓ、すなわち第２光制御シート１４の出光側の面で全反射されて第１光制御シート１３の側へ戻される様子が示されている。
【００６４】
この場合、上述のように、第２光制御シート１４の第２単位レンズ１４ａは、第１光制御シート１３の第１単位レンズ１３ａが延びる方向と平行する方向に延び、各第２単位レンズ１４ａは、第２光制御シート１４の入光側に突出する円弧状の断面形状を有している。また、第２光制御シート１４の各第２単位レンズ１４ａの断面形状の谷部を通る接線Ｘ３が第２光制御シート１４のシート面１４ｓとなす角θ３は、４０度以下、例えば３５度となっており、さらに、各第２単位レンズ１４ａの断面形状は、例えば幅ａ３：高さｂ３＝３：１となっている。このため、第１光制御シート１３の第１単位レンズ１３ａから屈折して外方へ出光し第２光制御シート１４に入射される光のうち、第２光制御シート１４の第２単位レンズ１４ａが延びる方向に平行な方向に関し、第２光制御シート１４の法線に対して６０度以上の角度を有する光は、その５０％以上が第２単位レンズ１４ａで全反射して第１光制御シート側１３へ戻される。このことにより、第１単位レンズ１３ａから出射される光のうち、出射角度が大きくＬＣＤパネル１７の視野角の範囲外にある光を第２光制御シート１４で反射させた後、反射板１６により再び反射させて再利用することができる。
【００６５】
このように本実施の形態によれば、第１光制御シート１３の各第１単位レンズ１３ａは、出光側表面１３ｚ近傍に形成された略透明層１３ｃと、この略透明層１３ｃより面光源１５側に形成された散乱層１３ｄとを有し、略透明層１３ｃの厚さは、第１単位レンズ１３ａの厚さの１／２０以上かつ１／５以下であり、散乱層１３ｄの厚さは、第１単位レンズ１３ａの厚さの１／５以上かつ２／３以下である。このため、、第１光制御シート１３の各第１単位レンズ１３ａの谷部および谷部近傍を通る光のうち、第１単位レンズ１３ａの端部において全反射される光の一部は、第１単位レンズ１３ａの出光側表面１３ｚ近傍に形成された略透明層１３ｃを通され、第１単位レンズ１３ａの端部において複数回全反射され、そして面光源１５側へ戻される。また、各第１単位レンズ１３ａの谷部および谷部近傍を通る光のうち、第１単位レンズ１３ａの端部において全反射される当該光の一部以外の光の一部は、略透明層１３ｃより面光源１５側に形成された散乱層１３ｄを通され、散乱層１３ｄにおいて散乱され、そして面光源１５側へ戻される。これによって、第１光制御シート１３の各第１単位レンズ１３ａの谷部および谷部近傍を通る光のうち、第１単位レンズ１３ａの端部において全反射された後に、第１光制御シート１３の第１単位レンズ１３ａから屈折して外方へ出光する光を削減することができる。このことにより、面光源装置１０の正面輝度を向上させるとともに、不要な角度における輝度のピークを低減することができる。
【００６６】
また本実施の形態によれば、光制御シート１２の第１光制御シート１３は、面光源１５の出光側に設けられ、面光源１５の出光側表面１５aに平行に配置された多数の第１単位レンズ１３ａを有し、第１光制御シート１３の各第１単位レンズ１３ａは、面光源１５の発光管１５ａと平行に延び、各第１単位レンズ１３ａは、出光側に突出する円弧状の断面形状を有し、各第１単位レンズ１３ａの断面形状の谷部を通る接線が第１光制御シート１３のシート面となす角は、例えば６５度となっており、各第１単位レンズ１３ａの断面形状は、幅：高さ＝２：１．２となっている。このため、第１光制御シート１３の第１単位レンズ１３ａから屈折して外方へ出光し第２光制御シート１４に入射される光の輝度が、第１光制御シート１３からの光の出射角度によらず略均一となる。これによって、光の輝度の斑が小さい均一な光を第１光制御シート１３から出射させることができる。
【００６７】
さらに本実施の形態によれば、光制御シート１２の第２光制御シート１４は、第１光制御シート１３の出光側に設けられ、出光側表面に平行に配置された多数の第２単位レンズ１４aを有し、第２光制御シート１４の各第２単位レンズ１４ａは、第１光制御シート１３の第１単位レンズ１３ａが延びる方向と平行する方向に延び、各第２単位レンズ１４ａは、第２光制御シート１４の入光側に突出する円弧状の断面形状を有し、各第２単位レンズ１４ａの断面形状の谷部を通る接線が第２光制御シート１４のシート面となす角は、４０度以下、例えば３５度となっており、各第２単位レンズ１４ａの断面形状は、幅：高さ＝３：１となっている。このため、第１光制御シート１３の第１単位レンズ１３ａから屈折して外方へ出光し第２光制御シート１４に入射される光のうち、第２光制御シート１４の第２単位レンズ１４ａが延びる方向に平行な方向に関し、第２光制御シート１４の法線に対して６０度以上の角度を有する光は、その５０％以上が第２単位レンズ１４ａで全反射して第１光制御シート側１３へ戻される。このことにより、第１単位レンズ１３ａから出射される光のうち、出射角度が大きくＬＣＤパネル１７の視野角の範囲外にある光を第２光制御シート１４で反射させた後、反射板１６により再び反射させて再利用することができる。
【００６８】
なお、本実施の形態において、第２光制御シート１４の各第２単位レンズ１４ａの断面形状は、谷部を通る接線が第２光制御シートのシート面となす角が４０度以下となる円弧形状を有する例を示した。しかしながら、これに限られることはなく、第２光制御シート１４の各第２単位レンズ１４ａの断面形状は、底角が４０度以下となる三角形形状を有していてもよい。
【図面の簡単な説明】
【００６９】
【図１】図１は、本発明の第１の実施の形態における透過型表示装置の詳細を示す図。
【図２】図２は、本発明の第１の実施の形態における透過型表示装置の概略を示す図。
【図３】図３は、本発明の第１の実施の形態における光制御シートを示す図。
【図４】図４（ａ）は、本発明の第１の実施の形態における第１光制御シートの断面を示す図、図４（ｂ）は、本発明の第１の実施の形態における第２光制御シートの断面を示す図。
【図５】図５は、本発明の第１の実施の形態において、第１光制御シートの詳細を示す断面図。
【図６】図６は、本発明の第１の実施の形態において、光制御シートにより反射または透過される光を示す図。
【図７】図７（ａ）（ｂ）（ｃ）は、本発明の第１の実施の形態において、光制御シートにより反射または屈折される光を示す図。
【図８】図８は、本発明の第１の実施の形態における第２光制御シートの光学特性を示す図。
【図９】図９（ａ）は、本発明の第１の実施の形態の変形例を示す図、図９（ｂ）は、本発明の第１の実施の形態の他の変形例を示す図。
【図１０】図１０は、本発明の第２の実施の形態における光制御シートを示す図。
【図１１】図１１（ａ）は、本発明の第２の実施の形態における第１光制御シートの断面を示す図、図１１（ｂ）は、本発明の第２の実施の形態における第２光制御シートの断面を示す図。
【図１２】図１２は、本発明の第２の実施の形態において、光制御シートにより反射または屈折される光を示す図。
【符号の説明】
【００７０】
１０    面光源装置
１１    偏光分離シート
１２    光制御シート
１３    第１光制御シート
１３ａ  第１単位レンズ
１３ｂ  第１基材
１３ｃ  第１単位レンズの略透明層
１３ｄ  第１単位レンズの散乱層
１３ｓ  シート面
１３ｚ  第１単位レンズの出光側表面
１４    第２光制御シート
１４ａ  第２単位レンズ
１４ｂ  第２基材
１４ｓ  シート面
１５    面光源
１５ａ  発光管
１５ｂ  面光源の出光側表面
１６    反射板
１７    ＬＣＤパネル
１８    粒子
１９    フィラー
１９ａ  透明部
１９ｂ  中空部
１９ｃ  拡散剤
２０    透過型表示装置
２１ａ  斜線領域
２１ｂ  ドット領域
【図１】
2010080227.tif 000003
【図２】
2010080227.tif 000004
【図３】
2010080227.tif 000005
【図４】
2010080227.tif 000006
【図５】
2010080227.tif 000007
【図６】
2010080227.tif 000008
【図７】
2010080227.tif 000009
【図８】
2010080227.tif 000010
【図９】
2010080227.tif 000011
【図１０】
2010080227.tif 000012
【図１１】
2010080227.tif 000013
【図１２】
2010080227.tif 000014